(57)【要約】【課題】  球面収差やコマ収差を動的に補正することで、開口数の大きな一つの対物レンズを用いて様々な光ディスクに対応できるとともに、対物レンズの変位による収差補正の軸ズレが発生せず、且つ、対物レンズの駆動特性の劣化も生じることのない光ディスク装置を提供する。【解決手段】  光ディスクからデータの読出し或いは書込みを行う光ディスク装置１０であって、レンズホルダ１０３には、光路上に配置された収差補正用の液晶パネル１０２と、電磁結合により外部から電力を受けて前記液晶パネルの駆動用電圧を生成する電源回路と、外部から無線により信号を受けて前記液晶パネルを駆動する駆動回路とが設けられ、レンズホルダ１０３と離れた箇所に、電源回路に電磁結合により電力を送る電力伝送手段１０５と、前記駆動回路に無線により信号を送る無線送信手段１０５とが設けられている構成とした。【選択図】        図１
2008027539.tif 000002
【特許請求の範囲】
【請求項１】
光ディスクの記録層にレーザ光を集束させる対物レンズ、該対物レンズを保持するレンズホルダ、該レンズホルダをフォーカス方向やトラッキング方向に変位させるレンズアクチュエータを備えた光ピックアップを用いて、光ディスクからデータの読出し或いは書込みを行う光ディスク装置であって、
前記レンズホルダには、
光路上に配置され球面収差補正およびコマ収差補正を行う液晶パネルと、
電磁結合により外部から電力を受けて前記液晶パネルの駆動用電圧を生成する電源回路と、
無線により信号を受けて前記液晶パネルを駆動する駆動回路と、
が設けられ、
前記レンズホルダと離れた箇所には、
前記電源回路に電磁結合により電力を送る電力伝送手段と、
前記駆動回路に無線により信号を送る無線送信手段と、
が設けられ、
前記電源回路と前記駆動回路とは前記液晶パネルの液晶を挟持する基板上に集積されて形成されていることを特徴とする光ディスク装置。
【請求項２】
光ディスクの記録層にレーザ光を集束させる対物レンズ、該対物レンズを保持するレンズホルダ、該レンズホルダをフォーカス方向やトラッキング方向に変位させるレンズアクチュエータを備えた光ピックアップを用いて、光ディスクからデータの読出し或いは書込みを行う光ディスク装置であって、
前記レンズホルダには、
光路上に配置された収差補正用の液晶パネルと、
電磁結合により外部から電力を受けて前記液晶パネルの駆動用電圧を生成する電源回路と、
外部から無線により信号を受けて前記液晶パネルを駆動する駆動回路と、
が設けられ、
前記レンズホルダと離れた箇所には、
前記電源回路に電磁結合により電力を送る電力伝送手段と、
前記駆動回路に無線により信号を送る無線送信手段と、
が設けられていることを特徴とする光ディスク装置。
【請求項３】
前記液晶パネルの液晶を挟持する一方の基板には球面収差補正用の駆動電極が設けられていることを特徴とする請求項２記載の光ディスク装置。
【請求項４】
前記液晶パネルの液晶を挟持する一方の基板にはコマ収差補正用の駆動電極が設けられていることを特徴とする請求項２又は３に記載の光ディスク装置。
【請求項５】
前記電源回路と前記駆動回路とは前記液晶パネルの基板上に集積されていることを特徴とする請求項２〜４の何れかに記載の光ディスク装置。
【請求項６】
前記液晶パネルの基板には球面収差用の複数の駆動電極が設けられ、
前記電源回路および前記駆動回路は前記液晶パネルの駆動電極に電圧値の異なる複数の駆動電圧を出力可能に構成され、
これら複数の駆動電極および複数の駆動電圧により、レーザ光の波長が４０５ｎｍ系の２種類の光ディスクに対応する球面収差補正と、６５０ｎｍ系の光ディスクに対応する球面収差補正とを実行可能にされていることを特徴とする請求項２〜５の何れかに記載の光ディスク装置。
【請求項７】
前記液晶パネルの基板には球面収差用の複数の駆動電極が設けられ、
前記電源回路および前記駆動回路は前記液晶パネルの駆動電極に電圧値の異なる複数の駆動電圧を出力可能に構成され、
これら複数の駆動電極および複数の駆動電圧により、レーザ光の波長が７８０ｎｍ系の光ディスクに対応する球面収差補正と、６５０ｎｍ系の光ディスクの第１層用の球面収差補正、および、第２層用の球面収差補正と、レーザ光の波長が４０５ｎｍ系の２種類の光ディスクの第１層用の球面収差補正、および、第２層用の球面収差補正とをそれぞれ実行可能にされていることを特徴とする請求項２〜５の何れかに記載の光ディスク装置。
【発明の詳細な説明】
【技術分野】
【０００１】
この発明は、１つの対物レンズを有するピックアップにより複数種類の光ディスクに対応してデータの読出し又は書込みを行う光ディスク装置に関する。
【背景技術】
【０００２】
現在、波長４０５ｎｍの青紫色レーザを使用してデータの読書きを行う大容量の光ディスクが製品化されている。例えば、ＨＤ−ＤＶＤ（高密度光多用途ディスク）やブルーレイディスクなどである。このような光ディスクのうち、ＨＤ−ＤＶＤでは例えば開口数ＮＡ０．６５以上の対物レンズによってレーザ光を記録層に集束させることができ、ブルーレイディスクでは例えば開口数ＮＡ０．８５の対物レンズによってレーザ光を記録層に集束させることが出来る。
【０００３】
レーザ光は光ディスクの平板上の透明層を通過して記録層に到達するため、開口数の大きな対物レンズを用いた場合、レーザ光の中央側と外周側とで透明層の通過距離が異なりレーザ光に比較的大きな球面収差が発生するという問題が生じる。収差が生じるとレーザ光を微小なスポットに絞れなくなる。また、対物レンズの設計により球面収差の補正を行うことも出来るが、或る一種類の光ディスクの１つの記録層に合わせて球面収差が補正されるようにレンズ設計をした場合、２層の記録層の他方に焦点を合わせたときに球面収差が生じたり、また、透明層の厚さや使用するレーザ波長の異なる異種の光ディスクに用いる場合にはレンズ設計だけで全ての場合に対応することは出来ない。
【０００４】
そこで、このような球面収差の補正を動的に行えるように、液晶パネルを用いてレーザ光の断面各部に位相補償を行って収差を打ち消す技術が開発されている。同様に、ディスクの傾斜により生じるコマ収差の補正も液晶パネルにより実現されている（例えば特許文献１〜３）。
【０００５】
また、このような液晶パネルを光ピックアップのレンズホルダに設けた例を示す図面の開示もある（例えば非特許文献１）。
【０００６】
また、その他、本願発明に関連する技術として、特許文献４には、ディスク表面に集積回路チップとコイルアンテナを設け、無線で情報の送信を行う技術が開示されている。
【非特許文献１】Osamu Koyama,Haruhiko Horiguchi,Chihiro Nagura,Koichiro Nishikawa and Osamu Nagatsuka, "A study of near field recording optics for cover-layer incident dual-layer disc with an NA=1.45 hemispherical solid immersion lens", Optical Data Storage 2006 Post Deadline Papers, 23-26/4/2006, p.1-3
【特許文献１】特開平１１−０９６５７４号公報
【特許文献２】特開２００４−２０６７６３号公報
【特許文献３】特開２００２−３５８６７７号公報
【特許文献４】特開２００５−２０９２４０号公報
【発明の開示】
【発明が解決しようとする課題】
【０００７】
光ピックアップでは、レーザ光の焦点を高速回転する光ディスクの記録溝に追従させる必要があるため、対物レンズを高速に微小変位させるレンズアクチュエータを設けて、対物レンズをサーボ制御するのが一般的である。
【０００８】
しかしながら、上記特許文献１〜３に示されるように液晶パネルを固定的に設けて球面収差やコマ収差の補正を行う構成にすると、レンズアクチュエータの駆動で対物レンズが横に変位したときに、対物レンズと液晶パネルとの軸がズレて、これ軸ズレが球面収差補正やコマ収差補正のズレとして現われるという問題があった。
【０００９】
また、液晶パネルをレンズホルダに設けて、対物レンズとの相対位置が変化しないように構成することで、上記のような軸ズレの問題は解消するが、このような場合、液晶パネルへの給電や駆動信号の出力をどのように行うかという問題が生じる。
【００１０】
例えば、液晶パネルへの給電や駆動信号を出力するために、レンズアクチュエータの駆動信号を出力するのと同様にワイヤを用いたのでは、レンズホルダを支持するワイヤ本数が６本〜１０本などと非常に多くなって、レンズホルダの副次共振周波数に悪影響を与えるという問題を発生させる。副次共振周波数が低い周波数帯に現われると、この周波数帯でレンズホルダを動作させることが難しくなり、対物レンズの動作特性が劣化する。さらに、ワイヤ本数が増加すると、レンズアクチュエータの組立工程の困難さを増大させるという問題も発生させる。
【００１１】
この発明の目的は、球面収差やコマ収差を動的に補正することで、開口数の大きな一つの対物レンズを用いて様々な光ディスクに対応することが出来るとともに、対物レンズの変位による収差補正の軸ズレが発生せず、且つ、対物レンズの駆動特性の劣化も生じることのない光ディスク装置を提供することにある。
【課題を解決するための手段】
【００１２】
本発明は、上記目的を達成するため、光ディスクの記録層にレーザ光を集束させる対物レンズ、該対物レンズを保持するレンズホルダ、該レンズホルダをフォーカス方向やトラッキング方向に変位させるレンズアクチュエータを備えた光ピックアップを用いて、光ディスクからデータの読出し或いは書込みを行う光ディスク装置であって、前記レンズホルダには、光路上に配置された収差補正用の液晶パネルと、電磁結合により外部から電力を受けて前記液晶パネルの駆動用電圧を生成する電源回路と、外部から無線により信号を受けて前記液晶パネルを駆動する駆動回路とが設けられ、前記レンズホルダと離れた箇所には、前記電源回路に電磁結合により電力を送る電力伝送手段と、前記駆動回路に無線により信号を送る無線送信手段とが設けられている構成とした。
【００１３】
このような手段によれば、対物レンズと液晶パネルとの相対位置を変化させることなくレーザ光の球面収差補正やコマ収差補正を行うことが出来る。また、液晶パネルへの電力供給や信号出力を無線で行うため、レンズホルダを支持するワイヤ本数の増加もなく、レンズアクチュエータの動作特性を劣化させることがない。
【００１４】
具体的には、前記液晶パネルの液晶を挟持する基板には、球面収差用の駆動電極やコマ収差用の駆動電極を設けておくと良い。
この構成により、光ディスクの種類や記録層の０層と１層との違いによって変化する球面収差を動的に補正したり、光ディスクの反りや傾きに起因するコマ収差を動的に補正することが出来る。
【００１５】
好ましくは、前記電源回路と前記駆動回路とは前記液晶パネルの基板上に集積して形成すると良い。例えば、ＣＧＳ（連続グレインシリコン）技術やＣＯＧ（チップオングラス）技術を適用して回路を液晶パネルの基板上に形成すると良い。
このような構成により、光ピックアップの球面収差補正やコマ収差補正用の構成を簡素なものにして、組立工程の簡素化および製造コストの低減を図ることが出来る。
【００１６】
さらに具体的には、前記液晶パネルの基板には球面収差用の複数の駆動電極が設けられ、前記電源回路および前記駆動回路は前記液晶パネルの駆動電極に電圧値の異なる複数の駆動電圧を出力可能に構成され、これら複数の駆動電極および複数の駆動電圧により、レーザ光の波長が７８０ｎｍ系の光ディスクに対応する球面収差補正と、６５０ｎｍ系の光ディスクの第１層用の球面収差補正、および、第２層用の球面収差補正と、レーザ光の波長が４０５ｎｍ系の２種類の光ディスクの第１層用の球面収差補正、および、第２層用の球面収差補正とをそれぞれ実行可能にすると良い。
このような構成により、開口数の大きな１つの対物レンズを用いて複数種類の光ディスクや複数層の光ディスクに対応して、安定したデータの読書きを行うことが可能となる。
【発明の効果】
【００１７】
以上説明したように、本発明に従うと、レンズアクチュエータの動作特性を劣化することなく、レンズホルダに設けられた液晶パネルにより球面収差やコマ収差を補正して、１つの対物レンズを用いて複数種類の光ディスクや複数層の光ディスクに対応して安定したデータの読書きを行うことが可能となるという効果がある。
【００１８】
さらに、光ピックアップの球面収差補正やコマ収差補正用の構成を簡素なものにして、組立工程の簡素化および製造コストの低減が図れるという効果がある。
【発明を実施するための最良の形態】
【００１９】
以下、本発明の実施の形態を図面に基づいて説明する。
図１は、この実施の形態の光ディスク装置を示す構成図である。
この実施の形態の光ディスク装置１０は、ＣＤ（コンパクトディスク）、２つの記録層を有するＤＶＤ（デジタル多用途ディスク）、２つの記録層を有するＨＤ−ＤＶＤ（高密度ＤＶＤ）、２つの記録層を有するブルーレイディスクの４種類の光ディスクに対応してデータリードを行う装置である。
【００２０】
この光ディスク装置１０は、図１に示すように、光ディスクＤ０を回転させるスピンドルモータ１１と、光ディスクにレーザ光を照射したりその反射光を受光したりする光ピックアップ１００と、この光ピックアップ１００を光ディスクＤ０の半径方向に移動させるスライドモータ１２と、光ピックアップ１００やスピンドルモータ１１およびスライドモータ１２のサーボ制御を行うサーボ制御回路１３と、光ディスクＤ０からデータリードの信号処理を行うフロントエンド回路１４と、光ディスクＤ０から読み出したデータのデコード処理を行うデコード回路１５と、デコードされた映像データや音声データを出力用の信号に変換するＤ／Ａコンバータ１６，１７等を備えている。
【００２１】
光ピックアップ１００は、光ディスクＤ０の記録層にレーザ光を集束させたり反射光を集光したりする対物レンズ１０１と、球面収差やコマ収差の補正を行う液晶パネル１０２と、対物レンズ１０１と液晶パネル１０２とを保持するレンズホルダ１０３と、レンズホルダ１０３の側面に固着された電磁石１０４やこれと対向配置された図示略の固定磁石等からなるレンズアクチュエータと、レンズホルダ１０３の下面側で少し離間した位置に固定され液晶パネル１０２に無線で電力供給や信号送信を行う送信パネル１０５とを備えている。
【００２２】
さらに、ＣＤ用のレーザ光（波長７８０ｎｍ）とＤＶＤ用のレーザ光（波長６５０ｎｍ）との２波長のレーザ光を出力する第１半導体レーザ１１０と、レーザ光から３ビームを生成する回折格子１１１と、光ディスクＤ０に向う進行波と光ディスクＤ０からの反射波とを分離する偏光ビームスプリッタ１１２と、フォーカスエラー信号を得るために反射光に非点収差等の作用を及ぼす検出レンズ１１３と、複数の受光領域を有しＣＤ用とＤＶＤ用の反射光を受光する第１光センサ１１４と、レーザ光を平行光にするコリメータレンズ１１５と、青紫色のレーザ光（波長４０５ｎｍ）を出力する第２半導体レーザ１２０と、レーザ光から３ビームを生成する回折格子１２１と、進行波と反射波とを分離する偏光ビームスプリッタ１２２と、反射光に非点収差等の作用を及ぼす検出レンズ１２３と、複数の受光領域を有しＨＤ−ＤＶＤとブルーレイディスクの反射光を受光する第２光センサ１２４と、レーザ光を平行光にするコリメータレンズ１２５と、波長に応じて光ディスクＤ０からの反射光を分離するビームスプリッタ１３０と、偏光ビームスプリッタ１１２，１２２で進行波と反射波とを分離するため偏光状態を回転させる１／４波長板１３１と、レーザ光を対物レンズ１０１の方へ立ち上げる立上げミラー１３２等を備えている。
【００２３】
さらに、フロントエンド回路１４からの信号に基づき半導体レーザ１１０又は１２０を駆動するレーザ駆動回路１４１や、光センサ１１４，１２４の受光信号を演算してリード信号であるＲＦ信号やフォーカス誤差やトラッキング誤差を示すエラー信号を出力する演算＆出力回路１４２を備えている。
【００２４】
対物レンズ１０１は、例えば、ＮＡ＝０．８５などの開口数が大きなものであり、ブルーレイディスクにも対応できるものである。また、このような大きな開口数を有しているため、ＣＤやＤＶＤなどに使用する場合にも球面収差が比較的に大きく生じ、その補正処理を行う必要が生じる。
【００２５】
レンズアクチュエータは、図示は省略するが、側面に電磁石１０４が固着されたレンズホルダ１０３を例えば４本のワイヤで支持して上下左右に変位可能な状態にし、このワイヤを介して電磁石１０４に電流を流すことで、レンズホルダ１０３を少なくとも上下方向（フォーカス方向）と左右方向（トラッキング方向）とに高速に微少変位させるものである。これにより、レーザ光の焦点がフォーカス方向とトラッキング方向とに変位して、光ディスクの記録溝に高速に追従させることが可能となる。
【００２６】
図２にはレンズホルダ１０３に固着される対物レンズ１０１と液晶パネル１０２の斜視図を、図３には液晶パネル１０２に形成される回路とレンズホルダ１０３下に離間配置された送信パネル１０５に形成される回路の構成図を示す。
図２に示すように、対物レンズ１０１と液晶パネル１０２とは、光軸を中心に合わせた状態でレンズホルダ１０３の上面側と下面側とにそれぞれ固着される。従って、レンズアクチュエータにより対物レンズ１０１がフォーカス方向やトラッキング方向に変位した場合でも、両者の相対位置は変化せず、両者間で軸ズレが生じることがない。
【００２７】
液晶パネル１０２は、例えばガラスからなる２枚の透明基板２１，２２の間に液晶２３を封入して構成されるもので、パネルの垂直方向に通過するレーザ光の断面各部に当該箇所の液晶状態に応じて位相をずらす作用を及ぼすものである。
【００２８】
上下の透明基板２１、２２のうち一方の透明基板２２には、球面収差補正に使われる円周形状の複数（例えば３つ）の透明電極２５ａ〜２５ｃが形成されている。この透明電極２５ａ〜２５ｃは、中心点が同一で半径の異なるＣＤ用の電極２５ａと、ＤＶＤ＆ＨＤ−ＤＶＤ用の電極２５ｂと、ブルーレイディスク用の電極２５ｃとから構成されている。
【００２９】
他方の透明基板２１には、レーザ光が通過する範囲を光ディスクＤ０の内周側と外周側とで２分割してなるコマ収差補正用の透明電極２５ｅ，２５ｆが形成されている。この透明電極２５ｅ，２５ｆは、他方の透明電極２５ａ〜２５ｃに対するコモン電極の役割も兼ねるものであり、コモン電圧を内周側と外周側とで変化させることでコマ収差の補正を行うようになっている。
【００３０】
さらに、下側の透明基板２２には、図３に示す回路２８が形成されている。この回路と液晶２３とは、例えば、ＣＧＳ（連続グレインシリコン）の技術により透明基板２２上に集積して形成したり、或いはＣＯＧ（チップオングラス）の技術により透明基板２２上に形成したりしたものである。
【００３１】
透明基板２２に形成される回路２８には、電源供給用のコイルアンテナ２０１と、信号受信用のコイルアンテナ２０２と、コイルアンテナ２０１に生じた起電力を整流平滑するダイオードＤ１およびコンデンサＣ１と、平滑された電圧から透明電極２５ａ〜２５ｃ用の駆動電圧を生成する出力電圧可変型の第１レギュレータ２０２と、第１レギュレータ２０２の駆動電圧を透明電極２５ａ〜２５ｃの何れかに切り替えるモード切替器２０５と、透明電極２５ｅ，２５ｆの駆動電圧を生成する出力電圧可変型の第２レギュレータ２０３と、制御系の電源電圧を生成する第３レギュレータ２０４と、コイルアンテナ２０２で受けた変調信号を受信する受信回路２０８と、この変調信号を復調する復調回路２０９と、復調した信号に基づきレギュレータ２０２，２０３の出力電圧を切り替えたりモード切替器２０５の切り替えを行う制御回路２１０等が含まれる。
【００３２】
他方、送信パネル１０５には、透明基板２２側のコイルアンテナ２０１と電磁結合する電力伝送用のコイルアンテナ２１１と、コイルアンテナ２０２と電磁結合する信号送信用のコイルアンテナ２１２とが形成されている。そして、電力伝送用のコイルアンテナ２１１に、交流回路２１３が接続されて電力が伝送されるようになっている。このコイルアンテナ２１１と交流回路２１３により電力伝送手段が構成されている。
【００３３】
また、信号伝送用のコイルアンテナ２１２には、サーボ制御回路１３の制御信号を変調する変調回路２１４と、この変調信号をコイルアンテナ２１２に出力する送信回路２１５とが接続され、サーボ制御回路１３からの球面収差補正用の信号とコマ収差補正用の信号とが無線送信されるようになっている。これらコイルアンテナ２１２、変調回路２１４、送信回路２１５により無線送信手段が構成されている。
【００３４】
なお、上記構成では、電力伝送用のコイルアンテナと信号送受信用のコイルアンテナとを別々に設けているが、両者を共通化させることも出来る。その場合、交流回路２１３の交流周波数と、無線信号の変調周波数とを大きく異ならせることで、受信側にて両者を分離することが可能となる。
【００３５】
図４には、液晶パネルの球面収差補正用の透明電極２５ａ〜２５ｃと液晶パネルを通過するレーザ光への作用を表わした説明図を、図５には、４種類の光ディスクの球面収差に関係する構成を説明する図を示す。
【００３６】
図５に示すように、光ディスクの記録層Ｌ，Ｌ０，Ｌ１に達するまでの透明層の厚さは、ブルーレイディスク（ＢＤ）、ＨＤ−ＤＶＤおよびＤＶＤ、ＣＤとで異なってくる。さらに、記録層を２層有するものでは各層ごとに透明層の厚さが異なってくる。
【００３７】
また、各ディスクに必要とされるビームの解像度から、同一の開口数の対物レンズ１０１を用いた場合でも、レーザ光に生じる球面収差の分布は図４に示すように異なってくる。すなわち、ＣＤの場合では、開口数０．４５に対応する半径の中間の径の位置で位相が変位する球面収差が表われる。また、ＤＶＤやＨＤ−ＤＶＤの場合には、開口数０．６５に対応する半径の中間の径の位置で位相が変位する球面収差が表われる。同様に、ＢＤの場合には、開口数０．８５に対応する半径の中間の径の位置で位相が変位する球面収差が表われる。また、このような球面収差の大きさは、２層の記録層の各層ごとに異なり、さらに、ＤＶＤの場合とＨＤ−ＤＶＤの場合とではレーザ波長により球面収差の大きさも異なってくる。
【００３８】
そこで、上記液晶パネル１０２には、上記の球面収差が表われる半径範囲に透明電極２５ａ，２５ｂ，２５ｃを形成し、これにより上記球面収差を打ち消すような位相変位をレーザ光に及ぼして球面収差を補正する。また、透明電極２５ａ〜２５ｃに与える電圧を異ならせることで、その位相変位の量も変化させて、記録層の各層やレーザ波長に対応させて球面収差を補正することが可能になっている。
【００３９】
次に、複数の光ディスクに応じた球面収差補正とコマ収差補正の処理について説明する。
先ず、ＣＤがセットされてＣＤからデータリードを行う場合には、制御回路２１０がモード切替器２０５の切り替えを透明電極２５ａの出力に切り替えるとともに、第１レギュレータ２０２の出力電圧をＣＤ用の電圧に設定する。それにより、最内周の透明電極２５ａに所定の電圧が印加される。一方、コマ収差用の透明電極２５ｅ，２５ｆには第２レギュレータ２０３からコモン電圧が印加され、それにより、透明電極２５ａとコモン電圧との差電圧が液晶２３に印加されて液晶２３の状態が透明電極２５ａの半径でリング状に変化する。そして、このリング状に変化した部分でレーザ光の位相が遅らされてＣＤに適した球面収差補正が行われる。
【００４０】
また、ＤＶＤ又はＨＤ−ＤＶＤがセットされてデータリードを行う場合には、制御回路２１０がモード切替器２０５の切り替えを透明電極２５ｂへの出力に切り替えるとともに、第１レギュレータ２０２の出力電圧をＤＶＤ１層、０層、ＨＤ−ＤＶＤ１層、０層の何れかに対応した電圧に設定する。それにより、中間の透明電極２５ｂに所定の電圧が印加されて、上記の場合と同様に液晶２３の状態が透明電極２５ｂの半径でリング状に変化して、ＤＶＤ１層、０層、ＨＤ−ＤＶＤ１層、０層の何れかに適した球面収差補正が行われる。
【００４１】
また、ＢＤがセットされてデータリードを行う場合には、制御回路２１０がモード切替器２０５の切り替えを透明電極２５ｃへの出力に切り替えるとともに、第１レギュレータ２０２の出力電圧をＢＤ１層、０層の何れかに対応した電圧に設定する。それにより、最外周の透明電極２５ｃに所定の電圧が印加されて、上記の場合と同様に液晶２３の状態が透明電極２５ｃの半径でリング状に変化して、ＢＤ１層または０層に適した球面収差補正が行われる。
【００４２】
また、ここで、ディスクの反りなどによりディスク面が傾いてコマ収差が生じた場合には、サーボ制御回路１３の信号に基づき制御回路２１０が第２レギュレータ２０３に制御信号を出力して、透明電極２５ｅ，２５ｆの電圧をコモン電圧を中心に一方を低く他方を高く変化させる。それにより、一方の側と他方の側とでレーザ光の位相が進んだり遅れたりしてコマ収差を補正することが出来る。
【００４３】
以上のように、この実施の形態の光ディスク装置１０によれば、液晶パネル１０２がレンズホルダ１０３に保持されて対物レンズ１０１と液晶パネル１０２との相対位置が変化しないので、フォーカスサーボやトラッキングサーボにより対物レンズ１０１が微少変位した場合でも球面収差補正やコマ収差補正の位置ズレが生じない。
【００４４】
また、液晶パネルへの電力供給や信号出力を無線で行うため、レンズホルダ１０３と物理的に接続されるワイヤ本数を増加させることがなく、それによりレンズアクチュエータの動作特性を劣化させることがない。
【００４５】
さらに、液晶パネル１０２にはＣＧＳやＣＯＧの技術により必要な回路が一体的に形成されているので、光ピックアップの組立工程の簡素化および製造コストの低減を図ることが出来る。
【００４６】
また、これらの構成により、開口数の大きな１つの対物レンズ１０１を用いて複数種類の光ディスクに対応して安定したデータの読み込みを行うことが可能となる。
【００４７】
なお、本発明は、上記実施の形態に限られるものではなく、様々な変更が可能である。例えば、上記実施形態では、データ読込みの場合についてのみ説明したが、データ書き込みの場合にも同様に適用することが出来る。
【００４８】
また、コマ収差補正用の電極と球面収差補正用の電極とで液晶をはさんだ液晶パネルの構成を示したが、コマ収差補正用の液晶パネルと球面収差補正用の液晶パネルとを別個に設けるようにしても良い。また、コマ収差補正用の電極と球面収差補正用の電極とを上下逆に配置しても良いし、これらの電極パターンも実施形態で示したものに限られず適宜変形可能である。例えば対物レンズ１０１を特定の球面収差が補正されるように設計したり、光軸上に固定的な球面収差補正用の回折レンズを設けたりした場合には、それに合わせて電極パターンも変化する必要がある。
【００４９】
その他、光ディスク装置の全体構成、光ピックアップの光学構成、液晶パネルの回路構成など、実施の形態で示した細部構造等は、発明の趣旨を逸脱しない範囲で適宜変更可能である。
【図面の簡単な説明】
【００５０】
【図１】本発明の実施の形態の光ディスク装置の全体を示す構成図である。
【図２】レンズホルダに固着される対物レンズと液晶パネルとを示す斜視図である。
【図３】液晶パネルの球面収差補正用の電極と液晶パネルを通過するレーザ光への作用を表わした説明図である。
【図４】液晶パネルに形成される回路とレンズホルダ下に離間して設けられる送信パネルに形成される回路とを示した図である。
【図５】４種類の光ディスクの球面収差に関係する構成を説明する図である。
【符号の説明】
【００５１】
１０    光ディスク装置
１３    サーボ制御回路
２１，２２  透明基板
２３    液晶
２５ａ〜２５ｃ  球面収差補正用の透明電極
２５ｅ，２５ｆ  コマ収差補正用の透明電極
２８    透明基板に形成された回路
１００    光ピックアップ
１０１    対物レンズ
１０２    液晶パネル
１０３    レンズホルダ
１０５    送信パネル
２０１，２０２  コイルアンテナ
２０８    受信回路
２０９    復調回路
２１０    制御回路
２０２〜２０４  第１〜第３レギュレータ（電源回路）
２０５    モード切替器（駆動回路）
２１１，２１２  コイルアンテナ
２１３    交流回路
２１４    変調回路
２１５    送信回路
【図１】
2008027539.tif 000003
【図２】
2008027539.tif 000004
【図３】
2008027539.tif 000005
【図４】
2008027539.tif 000006
【図５】
2008027539.tif 000007